(57)【要約】【課題】さほど目立たず違和感を感じにくく、着脱が簡単で、汗や汚れを生じにくく、抵抗感を感じることなく使用でき、ブリッジを正しい形を作るための微妙な調整もしやすい、ビリヤード用ブリッジ形成用補助具を提供する。【解決手段】中指の第１関節と第２関節との間の位置に装着される中指装着部１０と、中指装着部１０から外側に向けて突出し、親指の腹と人差し指の腹とで摘むことのできる摘み部２０とを有してなる。中指装着部１０は、中指を挿入可能なリング状又はＣ字状に形成され、摘み部２０の先端に、親指と人差し指を所定位置に保持可能なストッパー３０が形成されている。【選択図】図３
2010162291.tif 000002
【特許請求の範囲】
【請求項１】
中指の第１関節と第２関節との間の位置に装着される中指装着部と、
前記中指装着部から外側に向けて突出し、親指の腹と人差し指の腹とで摘むことのできる摘み部と、
を有してなるビリヤード用ブリッジ形成用補助具。
【請求項２】
前記中指装着部は、中指を挿入可能なリング状又はＣ字状に形成されている、請求項１に記載のビリヤード用ブリッジ形成用補助具。
【請求項３】
前記中指装着部は、帯状に形成されている、請求項１又は２に記載のビリヤード用ブリッジ形成用補助具。
【請求項４】
前記摘み部は、棒状に形成されている、請求項１〜３のいずれかに記載のビリヤード用ブリッジ形成用補助具。
【請求項５】
前記摘み部は、板状に形成されている、請求項１〜３のいずれかに記載のビリヤード用ブリッジ形成用補助具。
【請求項６】
前記摘み部の先端に、親指と人差し指を所定位置に保持可能なストッパーが形成されている、請求項１〜５のいずれかに記載のビリヤード用ブリッジ形成用補助具。
【請求項７】
中指の太さに応じて中指装着部の内径を調節可能なサイズ調整手段を有する、請求項１〜６のいずれかに記載のビリヤード用ブリッジ形成用補助具。
【発明の詳細な説明】
【技術分野】
【０００１】
本発明は、ビリヤード用ブリッジ形成用補助具、詳しくは、ビリヤードにおいてショットする際、正しい、安定した形のブリッジを作るために使用する補助具に関する。
【背景技術】
【０００２】
ビリヤードにおいては、的確で安定したショットをするためには正しいブリッジが必要である。ブリッジとは、キューを握っていない方の手で作る、キューを支える手の構えである。スタンダードブリッジと呼ばれる基本的なブリッジは、親指と人差し指とでキューを通す輪をつくり、そこにシャフトを通すものであるが、初心者には正しい形を作ることが難しい。ブリッジが正しく形成されていないと、キューがぶれやすく、ミスショットの原因となる。
特許文献１には、「ビリヤードのストロークを安定させる為にキューを支えるブリッジを容易にするグローブ」として、「ビリヤード用グローブの親指第一間接内側と人指し指第二間接親指側及び中指第二間接人差し指側に面ファスナーを貼り付け各指を交差する事により面ファスナーが指を固定し安定したブリッジが実現できるビリヤード用グローブ」が開示されている。
しかし、上記従来のものは次のような不都合がある。
グローブであるため、目立ち、違和感を感じやすい。使用時にいちいちグローブを嵌めなければならず、着脱に手間がかかる。汗もかきやすく、汚れやすく、洗濯も必要となる。他人の使用したグローブだと、そのまま嵌めるのに抵抗感を感じる場合もある。さらに、面ファスナーにより指が固定されるようにしているため、正しい形を作るための微妙な調整が容易にできない。
【先行技術文献】
【特許文献】
【０００３】
【特許文献１】登録実用新案第３１０８５５５号公報
【発明の概要】
【発明が解決しようとする課題】
【０００４】
本発明は、上記事従来技術における不都合を考慮してなされたものであり、ビリヤードにおいてショットする際、正しい、安定した形のブリッジを作るために有用な補助具を提供するものであり、さほど目立たず違和感を感じにくく、着脱が簡単で、汗や汚れを生じにくく、抵抗感を感じることなく使用でき、ブリッジの正しい形を作るための微妙な調整もしやすい、ビリヤード用ブリッジ形成用補助具を提供することを目的とする。
【課題を解決するための手段】
【０００５】
（１）中指の第１関節と第２関節との間の位置に装着される中指装着部と、
前記中指装着部から外側に向けて突出し、親指の腹と人差し指の腹とで摘むことのできる摘み部と、
を有してなるビリヤード用ブリッジ形成用補助具である。
（２）前記中指装着部は、中指を挿入可能なリング状又はＣ字状に形成されているものである。
（３）前記中指装着部は、帯状に形成されているものである。
（４）前記摘み部は、棒状に形成されているものである。
（５）前記摘み部は、板状に形成されているものである。
（６）前記摘み部の先端に、親指と人差し指を所定位置に保持可能なストッパーが形成されているものである。
（７）中指の太さに応じて中指装着部の内径を調節可能なサイズ調整手段を有するものである。
【発明の効果】
【０００６】
（１）本発明によれば、ビリヤードにおいてショットする際、正しい、安定した形のブリッジを作るために有用な補助具が提供される。すなわち、中指装着部を中指の第１関節と第２関節との間の位置に装着して、摘み部を親指の腹と人差し指の腹とで摘むことにより、摘み部が親指と人差し指と正しい位置を作るための手がかり、ガイドとなり、正しい、安定したブリッジの形を作ることができる。これにより、的確で安定したショットが可能となる。初心者にあっては、ブリッジの正しい、安定した形を習得しやすいため、有益である。また、シンプルな構造で、製造もしやすく、経済的である。
そして、本発明によれば、さほど目立たず違和感を感じにくく、着脱が簡単で、汗や汚れを生じにくく、抵抗感を感じることなく使用でき、ブリッジの正しい形を作るための微妙な調整もしやすい。
左右対称形に形成し得、それにより、グローブと異なり、左右いずれの指にも着用できるので、右利き左利きの区別なく使用することができ、適応範囲も広い。
（２）中指装着部を、中指を挿入可能なリング状又はＣ字状に形成することにより、指への装着が簡便である。
（３）中指装着部を帯状に形成することにより、安定したフィット感が得られる。
（４）摘み部を棒状に形成することにより、軽量にでき、スマートな外観を呈する。
（５）摘み部を板状に形成することにより、摘みの調整範囲が広い。
（６）摘み部の先端に、親指と人差し指を所定位置に保持可能なストッパーを形成することにより、親指と人差し指を所定位置に保持しやすく、指の余計な動きも生じにくい。
（７）中指の太さに応じて中指装着部の内径を調節可能なサイズ調整手段を有するものとすることにより、様々の指の太さに対応でき、フリーサイズ化が可能である。
【図面の簡単な説明】
【０００７】
【図１】ビリヤード用ブリッジ形成用補助具１を示すもので、図１（ａ）は側面図、（ｂ）は正面図、（ｃ）は平面図、（ｄ）は背面図、（ｅ）はｅ−ｅ断面図である。
【図２】ビリヤード用ブリッジ形成用補助具１の斜視図である。
【図３】ビリヤード用ブリッジ形成用補助具１の使用状態を示す斜視図である。
【図４】ビリヤード用ブリッジ形成用補助具１の斜視図である。
【図５】ビリヤード用ブリッジ形成用補助具１の斜視図である。
【図６】ビリヤード用ブリッジ形成用補助具１の斜視図である。
【図７】ビリヤード用ブリッジ形成用補助具１の斜視図である。
【図８】ビリヤード用ブリッジ形成用補助具１の斜視図である。
【図９】ビリヤード用ブリッジ形成用補助具１の斜視図である。
【図１０】ビリヤード用ブリッジ形成用補助具１を示すもので、図１（ａ）は側面図、（ｂ）は正面図、（ｃ）は平面図、（ｄ）は背面図、（ｅ）はｅ−ｅ断面図である。
【図１１】ビリヤード用ブリッジ形成用補助具１を示す平面図である。
【発明を実施するための形態】
【０００８】
本発明の実施例を挙げ、図面を参照して説明するが、本発明は以下の形態に限定されるものではない。
【実施例】
【０００９】
図１、図２は実施例のビリヤード用ブリッジ形成用補助具１を示すもので、図１（ａ）は側面図、（ｂ）は正面図、（ｃ）は平面図、（ｄ）は背面図、（ｅ）はｅ−ｅ断面図、図２は斜視図である。
【００１０】
＜全体＞
図１、図２に示すとおり、ビリヤード用ブリッジ形成用補助具１は、中指の第１関節と第２関節との間の位置（第２関節の近く）に装着される中指装着部１０と、装着時において中指装着部１０から外側に向けて突出し、親指の腹と人差し指の腹とで摘むことのできる摘み部２０とを有してなる。
【００１１】
＜中指装着部＞
中指装着部１０は、中指のほぼ第１関節と第２関節との間の位置に装着され、固定される。
中指装着部１０は、中指の第１関節と第２関節との間の指の太さに適合する内寸を有するように形成される。中指装着部１０は、図１に示すように、中指を挿入可能な、平面視リング状に、あるいはＣ字状等に形成することができる。普通の指輪のように幅の狭いリング状に形成したり、あるいは輪状の指ぬきのようにやや幅広（例えば１〜１．５ｃｍ）にして帯状に形成することもできる。適宜装飾を施してもよいのは勿論である。
中指装着部１０の材質は、金属、合成樹脂、ゴム、セラミック、皮革、布帛類等、種々の素材を用いることができ、限定されない。中指の所定位置に装着してその位置を保持できるものであればよく、剛性の高い硬質のもののほか、軟質なもの、可撓性を有するもの、伸縮性を有するもの等であってもよい。中指装着部１０を伸縮性を有する素材で形成することにより、中指の太さに応じて内径を調節可能なサイズ調整手段として機能させることができる。
【００１２】
＜摘み部＞
摘み部２０は、中指装着部１０から外側に向けて突出している。通常、ほぼ中指装着部１０の半径方向ないし接線方向に突出する。例えば、図1に示すとおり、中指装着部１０の外面からほぼ垂直に起立するように設けることができる。通常、直線棒状に伸びるように、あるいは平面的に形成される。平面的に形成する場合、その面の方向は、中指装着部１０の軸心にほぼ沿う方向でよい。
摘み部２０は、親指の腹と人差し指の腹とで摘む（挟んで押える）ことのできる形状であることが肝要である。親指の腹と人差し指の腹とで摘むことのできる、中指装着部１０から先端部までの高さＨ（図１（ｃ）参照）を有する。図１に示すように棒状に、あるいは板状（シート状）等に形成することができる。摘み部２０の断面、側面その他の形状は特に制限されない。
また、摘み部２０の材質は、金属、合成樹脂、ゴム、セラミック、皮革、布帛類等、種々の素材を用いることができ、限定されない。剛性の高い硬質のもののほか、軟質なもの、弾性や若干の可撓性を有するものであってもよい。
【００１３】
＜ストッパー＞
図１に示す例では、摘み部２０の先端に、親指と人差し指を所定位置に保持可能なストッパー３０を形成している。ストッパー３０は、中指に装着した際に、少なくともほぼ中指及び摘み部２０に直交する方向に、摘み部２０よりも外側に張り出す（膨出する）。このストッパー３０によって、親指と人差し指を所定位置に保持し得、指の余計な動きも生じにくい。図示のようにストッパー３０に適宜の意匠を施すことにより、装飾的な意味合いを与えることができる。使用時、親指と人差し指の先端の外側に表れ、プレー中でもスマートでお洒落なアクセントになり、着用への違和感もなく、アクセサリーのようにおしゃれな感覚で着用することができる。
【００１４】
図１に示す例では、中指装着部１０と摘み部２０と、さらにストッパー３０が一体的に形成されている。このように、中指装着部１０と摘み部２０とは、プラスチック成形品、金属製ダイキャスト品のように両者が（さらにはストッパー３０が）、一体的に形成されたものでもよいし、あるいは、夫々別部材で構成したものを、接着、溶接等、又は適宜連結部材で連結したものでもよい。夫々別部材で構成する場合、各部材はリジッドに固定されているもののほか、例えば、中指装着部１０に対し摘み部２０が適宜可動するように設けることも可能である。
【００１５】
＜使用方法＞
図３（ａ）に示すように、摘み部２０の先端方向がほぼ人差し指側を向くように、中指装着部１０を中指に嵌めて、ビリヤード用ブリッジ形成用補助具１を中指に装着する。次いで、図３（ｂ）に示すように、摘み部２０を親指の腹と人差し指の腹とで摘んで輪を作ればブリッジが完成する。あとは、通常どおり、その輪にキューを通してストロークを行えばよい。プレー中は、そのまま外さずに着けていても目立たず、殆ど邪魔にならず、違和感もないので、使い勝手も良好である。
【００１６】
＜バリエーション＞
以下、ビリヤード用ブリッジ形成用補助具１のバリエーションを図４〜１１を参照して説明する。各図において、同じ構成要素には同じ符号を用い、重複する説明は適宜省略する場合がある。
【００１７】
図４は、中指装着部１０と摘み部２０と（さらにはストッパー３０と）が合成樹脂等により一体的に形成された例を示す。中指装着部１０はやや幅広に帯状に形成されている。
図４（ａ）は、摘み部２０は板状に形成され、この摘み部２０には透孔２１が設けられており、透孔２１部分に親指と人差し指の腹が位置するようになっている。親指と人差し指を所定位置に保持しやすく、透孔部分で親指と人差し指の腹同士を接触させて確認することもできる。透孔２１に代えて摘み部２０に凹部を形成し（図示省略）、該凹部に、親指と人差し指の腹が位置するようにしてもよい。
図４（ｂ）は、中指装着部１０がＣ字状に形成されているものである。この場合、中指装着部１０を柔軟な素材、弾性あるいは可撓性を有する素材等で形成すれば、指の太さの違いにも容易に対応でき、フリーサイズ化も可能である。すなわち、中指の太さに応じて内径を調節可能なサイズ調整手段として機能させることができる。Ｃ字を形成するスリット１１の位置は、摘み部２０に対向する位置に設けられている。スリットの位置は任意であり、図４（ｃ）は、スリット１１を摘み部２０の根元付近に設けた例を示している。
図４（ｄ）は、摘み部２０がリング状に形成され、透孔２１を有しているものである。
【００１８】
図５は、皮革等のシート状物を曲げ加工して形成した例を示す。図５（ａ）（ｂ）では、中指装着部１０はリング状に形成されるとともに、これに連なる摘み部２０は、対向する平面部によって形成されている。対向する平面部は、図５（ａ）に示すように、ハトメやリベット２３等により繋ぐか、面同士を貼り合わせてもよい。図５（ｂ）では、孔あきハトメ２４で繋ぎ、透孔２１を設けている。
対向する平面部同士を固定せず、面ファスナー等により着脱可能に構成してもよい。その場合、中指の太さに応じて内径を調節可能なサイズ調整手段として機能させることができる。
【００１９】
図５（ｃ）は、１８０°折り返して対向させた平面部によって摘み部２０が形成され、この摘み部２０（各平面部）の根元に、それぞれ（弧状に形成された）帯部２５，２６が連設されている。そして、帯部２５，２６が互いに重なる重合部が形成されている。指の太さに応じて中指装着部１０の内寸を適宜サイズ調節することができる。すなわち、この重合部を、その重なり合いの程度によって、中指の太さに応じて内径を調節可能なサイズ調整手段として機能させることができる。重合部には、面ファスナーなど、重なり合う帯部２５，２６同士を着脱可能とする取着部材を設けてもよい。
【００２０】
図６は、中指装着部１０と摘み部２０とを別の部材で構成し、両者を適宜連結具４０で繋いだ例を示す。中指装着部１０は、リング状であっても、伸縮性を有する素材で形成することにより、フリーサイズ化が可能であり、中指の太さに応じて内径を調節可能なサイズ調整手段として機能させることができる。
【００２１】
図７は、中指装着部１０と摘み部２０とが、一枚の帯状部材でつながって構成されている例を示す。一枚の帯状部材５０は、可撓性を有する合成樹脂材等で形成され、その一端にはリング状等に形成された係止部５２（孔部及び係止突起など）を有し、他端側には該係止部５２を挿通してそこに係合可能な孔状又は歯状等に形成された係合部５４が帯状部材５０の長手方向に沿って適宜間隔をおいて列設されている。帯状部材５０を巻き回して、係合部５４を係止部５２に係合させることにより、リング状の中指装着部１０が形成されるとともに、中指装着部１０と摘み部２０との位置関係が互いに固定される。装着時、摘み部２０は、係止部５２から外方に突出し、中指装着部１０からほぼ中指装着部１０のほぼ接線方向に突出する態様となる。帯状部材５０を巻き回す程度（締め具合）によって、中指装着部１０のサイズを調整し得、フリーサイズ化が可能である。すなわち、中指の太さに応じて内径を調節可能なサイズ調整手段として機能する。
【００２２】
図８は、中指装着部１０に、装着する中指の先端側に向けてほぼ袋状のサック部１２が連設されている例を示す。換言すると、ほぼ袋状のサック部１２の開口側端部に中指装着部１０が形成されている。
【００２３】
図９は、皮革、合成樹脂等の可撓性を有するシート状物（帯状部材）を用いて構成した例を示す。図９（ａ）に示すように、可撓性を有するシート状物で帯状に形成した中指装着部１０の一端側に棒状の摘み部２０を立設するとともに、中指装着部１０の他端側には、摘み部２０を挿入、係止可能な孔１３を形成してある。孔１３は、帯状部材の長手方向に沿って複数個、列設してある。複数個の孔１３はスリットで繋がっていてもよい。摘み部２０の先端にはストッパー３０が設けられている。
使用時には、図９（ｂ）に示すように、帯状に形成した中指装着部１０の一方側を巻き回し、摘み部２０を孔１３に挿入して係止する。摘み部２０には、孔１３が係止しやすいように適宜凹凸を形成してもよい。孔１３は帯状部材の長手方向に沿って複数個、列設されているため、孔１３の位置を適宜選択することにより、中指装着部１０を、中指の太さに応じて、その内径を調節可能である。すなわち、複数個の孔１３を、中指の太さに応じて内径を調節可能なサイズ調整手段として機能させることができる。
【００２４】
図１０（ｃ）は、図１に示す実施例を変形した例を示す。図１０（ａ）は側面図、（ｂ）は正面図、（ｃ）は平面図、（ｄ）は背面図、（ｅ）はｅ−ｅ断面図である。
図１０に示す例では、図１に示すものと異なり、中指装着部１０と摘み部２０とが、別体で構成されている。中指装着部１０にはそのほぼ半径方向に貫通するネジ孔１４が設けられ、一方、摘み部２０の、中指装着部１０側の端部には、ネジ孔１４に螺合するネジ部２６が形成されており、このネジ部２６がネジ孔１４に螺合することにより、摘み部２０は中指装着部１０に対して所定位置に保持される。摘み部２０のネジ部２６側の端部には、指の表面に面状に当接する指当て部２７が設けられている。中指装着部１０にはスリット１１が設けられている。
使用時には、ネジ孔１４に螺合している摘み部２０を回して、摘み部２０を進入又は後退させることにより、摘み部２０のネジ部２６側の先端部は中指装着部１０の内側で進入又は後退するため、中指の太さに応じて、中指装着部１０の実質的な内径を調節可能である。すなわち、中指装着部に形成したネジ孔１４と摘み部２０に形成したネジ部２６との螺合の程度によって、摘み部２０のネジ部２６の先端部の、中指装着部１０の内側への突出程度を調節でき、これにより、中指の太さに応じて中指装着部１０の内径を調節可能なサイズ調整手段として機能させることができる。
中指指装着部１０を弾性又は可撓性を有する素材で形成するとともに、図１１に示すように、中指装着部１０の内面にほぼ沿う弾性片１５を取り付け、この弾性片１５に摘み部２０のネジ部２６側の先端部が当接するように構成することもできる。この場合、摘み部２０を回して進入させると、摘み部２０のネジ部２６側の先端部が弾性片１５を押し拡げて、中指装着部１０は、スリット１１が開く向きに拡がり、中指装着部１０の内径が拡がる。これにより、中指の太さに応じて中指装着部１０の内径を調節可能なサイズ調整手段として機能させることができる。
【００２５】
以上のバリエーションを適宜組み合わせて構成することができる。
【産業上の利用可能性】
【００２６】
ビリヤードにおいてショットする際、正しい、安定した形のブリッジを作るために有用な補助具が提供され、ビリヤードの一層の普及に寄与し得る。
【符号の説明】
【００２７】
１  ビリヤード用ブリッジ形成用補助具
１０  中指装着部
２０  摘み部
３０  ストッパー
【図１】
2010162291.tif 000003
【図２】
2010162291.tif 000004
【図３】
2010162291.tif 000005
【図４】
2010162291.tif 000006
【図５】
2010162291.tif 000007
【図６】
2010162291.tif 000008
【図７】
2010162291.tif 000009
【図８】
2010162291.tif 000010
【図９】
2010162291.tif 000011
【図１０】
2010162291.tif 000012
【図１１】
2010162291.tif 000013